(57)【特許請求の範囲】
【請求項１】
塵芥が投入される塵芥投入箱と、投入された塵芥が圧縮されて収容される塵芥収容箱と、該塵芥投入箱の下部に設けられた汚水タンクとを備えた塵芥収集車に後付け可能な汚水回収装置であって、
前記汚水タンクから移送される汚水を回収時まで貯留する回収用タンクと、
前記回収用タンクを前記塵芥収容箱の上面に取り付けるための取付け手段と、
前記取付け手段により取り付けられた回収用タンクと前記汚水タンクとを接続する接続管路と、
前記汚水タンクに穿孔された貫通孔を介して該汚水タンクに前記接続管路を連結するタンクコネクタと、
前記汚水タンクの汚水を前記回収用タンクに前記接続管路を介して移送する移送ポンプと、
前記回収用タンク内の汚水を回収するために該回収用タンクに設けられる開閉バルブ付きコネクタとを具備することを特徴とする塵芥収集車に後付け可能な汚水回収装置。
【請求項２】
前記汚水タンク内の汚水が所定のレベルに達したときに検出信号を出力する液面センサを備えることを特徴とする請求項１に記載の塵芥収集車に後付け可能な汚水回収装置。
【請求項３】
前記移送ポンプは、前記液面センサからの検出信号に基づいて作動することを特徴とする請求項２に記載の塵芥収集車に後付け可能な汚水回収装置。
【請求項４】
前記塵芥投入箱は、その上端部の回動軸の周りで回動することにより、前記塵芥収容箱の後端を開閉し得るようになっており、
前記接続管路には、前記塵芥投入箱の回動時に該回動に支障を生じないように該接続管路を分離させるための分離用コネクタが設けられることを特徴とする請求項１〜３のいずれか１項に記載の塵芥収集車に後付け可能な汚水回収装置。
【請求項５】
前記分離用コネクタにより前記接続管路が分離されているときのみ、前記塵芥投入箱の回動を許容する手段を有することを特徴とする請求項４に記載の塵芥収集車に後付け可能な汚水回収装置。
【請求項６】
前記塵芥投入箱は、その上端部の回動軸の周りで回動することにより、前記塵芥収容箱の後端を開閉し得るようになっており、
前記接続管路は、前記塵芥投入箱の回動時に必要な部分が変形するように可撓性を有することを特徴とする請求項１〜３のいずれか１項に記載の塵芥収集車に後付け可能な汚水回収装置。
【請求項７】
前記取付け手段は、前記塵芥収容箱に穿孔された孔にボルトを通して前記回収用タンクの取付けを行うためのボルトとナット、前記塵芥収容箱側面の凸条に係合して前記回収用タンクの取付けを行うための取付け具、及び前記塵芥収容箱に磁石の吸引力で前記回収用タンクを固定する手段のうちのいずれか１つ又は２つ以上により構成されることを特徴とする請求項１〜６のいずれか１項に記載の塵芥収集車に後付け可能な汚水回収装置。
【発明の詳細な説明】
【技術分野】
【０００１】
本発明は、汚水タンクを備えた塵芥収集車に後付け可能な汚水回収装置に関する。
【背景技術】
【０００２】
従来、塵芥収集車は、車両後部の塵芥投入箱に投入される塵芥を、塵芥積込装置によって圧縮し、車両中央部の塵芥収容箱に収容する機能を有する。このような塵芥収集車による塵芥の収集に際しては、塵芥に含まれる汚水が、塵芥の圧縮時に染み出して車両外部に流出し、環境汚染を引き起すおそれがある。このため、塵芥収集車には、塵芥投入箱の下部に、塵芥から染み出す汚水を貯留するための汚水タンクが設けられる（例えば、特許文献１参照）。
【０００３】
また、食品を扱う小売店舗や宿泊施設等で廃棄される生ごみを含んだ塵芥は、水分の含有率が比較的高く、汚水の発生量が多い。このような塵芥を収集する場合には、汚水タンクが短時間で溢れて、汚水が流出するおそれがある。このため、特許文献１の塵芥収集車では、塵芥投入箱内に汚水貯留部を形成し、汚水タンクに溜まった汚水を汚水貯留部に移送することにより、汚水タンクが溢れるのを防止している。
【先行技術文献】
【特許文献】
【０００４】
【特許文献１】特許第４８４２０６７号公報
【発明の概要】
【発明が解決しようとする課題】
【０００５】
しかしながら、上記特許文献１の塵芥収集車によれば、塵芥投入箱内の汚水貯留部に汚水を移送するようにしているので、塵芥投入箱内に収容した塵芥の水分の含有率が高くなる。このため、収集した塵芥をそのまま焼却処分にする場合には、塵芥中の水分により燃焼効率が低下する。また、塵芥の焼却に際し、汚水に含まれる食塩等の塩素成分に起因して、ダイオキシン等の有害物質が発生するおそれもある。
【０００６】
また、一般に、塵芥収集車において、塵芥の収集に伴って汚水タンクの汚水量が多くなってくると、塵芥収集車の走行時の振動により汚水が波打って、汚水タンクから汚水が流出し易くなる。かかる汚水の流出は環境汚染の原因となるので、汚水タンクに汚水がさほど貯留しないうちに、早めに汚水タンク内の汚水を処理する必要がある。
【０００７】
一方、近年、食品廃棄物の汚水で自動車用のバイオガス燃料を生産することも行われている。このため、塵芥収集時に生じる汚水を、かかるバイオガス燃料等の生産に役立てることができれば好都合である。
【０００８】
本発明の目的は、かかる従来技術の課題に鑑み、塵芥収集車に後付けして、廃棄物の収集時に生じる汚水を簡便に回収できる汚水回収装置を提供することにある。
【課題を解決するための手段】
【０００９】
本発明の塵芥収集車に後付け可能な汚水回収装置は、塵芥が投入される塵芥投入箱と、投入された塵芥が圧縮されて収容される塵芥収容箱と、該塵芥投入箱の下部に設けられた汚水タンクとを備えた塵芥収集車に後付け可能な汚水回収装置であって、前記汚水タンクから移送される汚水を回収時まで貯留する回収用タンクと、前記回収用タンクを前記塵芥収容箱の上面に取り付けるための取付け手段と、前記取付け手段により取り付けられた回収用タンクと前記汚水タンクとを接続する接続管路と、前記汚水タンクに穿孔された貫通孔を介して該汚水タンクに前記接続管路を連結するタンクコネクタと、前記汚水タンクの汚水を前記回収用タンクに前記接続管路を介して移送する移送ポンプと、前記回収用タンク内の汚水を回収するために該回収用タンクに設けられる開閉バルブ付きコネクタとを具備することを特徴とする。
【００１０】
本発明によれば、既存の塵芥収集車の塵芥収容箱に回収用タンクを取付け手段によって取り付け、回収用タンクに一端が接続された接続管路の他端を汚水タンクに穿孔された貫通孔にタンクコネクタを用いて連結し、移送ポンプや開閉バルブ付きコネクタを設けることにより、汚水回収装置を塵芥収集車に容易に後付けすることができる。
【００１１】
これにより、塵芥収集時には、塵芥収集に伴って汚水タンクに貯留されてゆく汚水を適宜移送ポンプにより回収用タンクに移送しておき、汚水の回収時には、回収用タンクの汚水を、開閉バルブ付きコネクタを経て簡便に回収することができる。したがって、水分の含有量が多い塵芥を収集する際に汚水タンクが溢れるのを防止できるとともに、回収した汚水をバイオガス燃料の生産に供することができる。
【００１２】
本発明において、前記汚水タンク内の汚水が所定のレベルに達したときに検出信号を出力する液面センサを備えてもよい。これによれば、液面センサからの検出信号に基づき、作業者に対し、汚水タンクが溢れるおそれがある旨の警報を発することができる。
【００１３】
また、本発明において、前記移送ポンプは、前記液面センサからの検出信号に基づいて作動してもよい。これによれば、汚水タンク内の汚水の液面レベルを一定値以下に維持し、塵芥収集車の走行時の振動により汚水の液面が波立って汚水が流出するのを防止することができる。
【００１４】
本発明において、前記塵芥投入箱は、その上端部の回動軸の周りで回動することにより、前記塵芥収容箱の後端を開閉し得るようになっており、前記接続管路には、前記塵芥投入箱の回動時に該回動に支障を生じないように該接続管路を分離させるための分離用コネクタが設けられてもよい。これによれば、分離用コネクタで接続管路を分離することにより、塵芥投入箱の回動を支障なく行うことができる。
【００１５】
この場合、前記分離用コネクタにより前記接続管路が分離されているときのみ、前記塵芥投入箱の回動を許容する手段を有してもよい。これによれば、分離用コネクタで接続管路が分離されていないときに、誤って塵芥投入箱が回動されて支障が生じるのを防止することができる。
【００１６】
本発明において、前記塵芥投入箱は、その上端部の回動軸の周りで回動することにより、前記塵芥収容箱の後端を開閉し得るようになっており、前記接続管路は、前記塵芥投入箱の回動時に必要な部分が変形するように可撓性を有してもよい。これによれば、塵芥投入箱の回動を支障なく行うことができる。
【００１７】
本発明において、前記取付け手段は、前記塵芥収容箱に穿孔された孔にボルトを通して前記回収用タンクの取付けを行うためのボルトとナット、前記塵芥収容箱側面の凸条に係合して前記回収用タンクの取付けを行うための取付け具、及び前記塵芥収容箱に磁石の吸引力で前記回収用タンクを固定する手段のうちのいずれか１つ又は２つ以上により構成されてもよい。これによれば、回収用タンクを塵芥収容箱の上面に容易に取り付けることができる。
【図面の簡単な説明】
【００１８】
【図１】本発明の第１実施形態に係る塵芥収集車の正面図である。
【図２】本発明の第２実施形態に係る塵芥収集車の正面図である。
【図３】図２の塵芥収集車における回収用タンクの取付け具の一部を示す斜視図である。
【図４】図１又は図２の塵芥収集車における回収用タンクの取付け手段の他の例を示す斜視図である。
【発明を実施するための形態】
【００１９】
以下、図面を用いて本発明の実施形態を説明する。図１は、本発明の第１実施形態に係る汚水回収装置を取り付けた塵芥収集車の正面図である。図１に示すように、塵芥収集車１は、塵芥が投入される塵芥投入箱２と、投入された塵芥が圧縮されて収容される塵芥収容箱３と、塵芥投入箱２の下部に設けられた汚水タンク４と、塵芥収集車１に後付けされた汚水回収装置５とを備える。
【００２０】
塵芥投入箱２は、塵芥投入箱２内に塵芥を投入するための投入口２ａを有する。塵芥投入箱２内には、投入口２ａから投入される塵芥を圧縮して塵芥収容箱３に収容する塵芥積込装置が設けられる。塵芥積込装置としては、例えば、投入された塵芥を、塵芥投入箱２の底部の回転板で上方へ引き上げて、上部の押込板で塵芥収容箱３へ押し込む回転板式のものが該当する。
【００２１】
塵芥投入箱２は、その上端部の回動軸６の周りで回動することにより、塵芥収容箱３の後端を開閉し得るようになっている。回動のための動力は、例えば、塵芥投入箱２と塵芥収容箱３との間に設けられたシリンダにより付与される。塵芥収容箱３内に収集された塵芥が塵芥ピットに排出される際には、塵芥投入箱２が回動して、塵芥収容箱３の後端が開放される。
【００２２】
汚水回収装置５は、汚水タンク４から移送される汚水を回収時まで貯留する回収用タンク７と、回収用タンク７を塵芥収容箱３の上面に取り付けるための取付け手段としてのボルト及びナット８と、取り付けられた回収用タンク７を汚水タンク４に接続する接続管路９と、汚水タンク４に接続管路９を連結するタンクコネクタ１０と、汚水タンク４の汚水を回収用タンク７に接続管路９を介して移送する移送ポンプ１１とを備える。
【００２３】
接続管路９は、移送ポンプ１１から、塵芥投入箱２の側面を通り、さらに塵芥投入箱２上端の回動軸６の近傍を経て、回収用タンク７に接続されるように設けられる。接続管路９は、塵芥投入箱２が回動軸６の周りで回動しても支障が生じないように、回動軸６近傍の必要な部分９ａが変形可能な可撓性を有する。
【００２４】
タンクコネクタ１０は、汚水タンク４に穿孔された貫通孔に設けられる。移送ポンプ１１は、汚水タンク４の近傍で、汚水タンク４に固定して設けられる。移送ポンプ１１としては、例えば電磁ポンプを用いることができる。
【００２５】
また、汚水回収装置５は、回収用タンク７内の汚水を回収するための開閉バルブ付きコネクタ１２と、汚水タンク４内の汚水が所定のレベルに達したときに検出信号を出力する液面センサ１３とを備える。移送ポンプ１１は、液面センサ１３からの検出信号に基づき、例えば検出信号が入力されてから一定期間作動する。開閉バルブ付きコネクタ１２には、汚水回収用のホースが接続できるようになっている。
【００２６】
塵芥収集車１に対して汚水回収装置５を後付けする際には、塵芥収容箱３の天板に、ボルト及びナット８で回収用タンク７を取り付けるための貫通孔が設けられる。そして、回収用タンク７側面下部の取付け部７ａを、該貫通孔を介してボルト及びナット８で該天板に締結することにより、回収用タンク７が塵芥収容箱３の上面に取り付けられる。また、回収用タンク７には、開閉バルブ付きコネクタ１２が取り付けられる。
【００２７】
また、汚水タンク４の前側（以下、方向を示す「前」、「後」、「左」、「右」は、塵芥収集車１における「前」、「後」、「左」、「右」を意味する。）の側面の下部に、接続管路９を汚水タンク４に接続するための貫通孔が設けられる。この貫通孔に、タンクコネクタ１０が取り付けられ、タンクコネクタ１０により接続管路９が汚水タンク４に接続される。また、接続管路９には、移送ポンプ１１が設けられる。移送ポンプ１１の上流側は、タンクコネクタ１０に直接取り付けてもよい。
【００２８】
また、汚水タンク４には、液面センサ１３が設けられる。液面センサ１３は、塵芥収集車１の走行時の揺れにより波立って汚水が流出するおそれがある汚水の液面レベルよりも低い所定レベルの液面が検出されるように設けられる。液面センサ１３の出力ラインは、移送ポンプ１１の制御基板に接続される。
【００２９】
このようにして汚水回収装置５が後付けされた塵芥収集車１では、塵芥収集に際して、塵芥投入箱２に投入される塵芥が圧縮され、塵芥収容箱３に押込まれるときに塵芥から染み出る汚水が、汚水タンク４内に貯留されてゆく。汚水の液面が所定レベルに達すると、液面センサ１３がこれを検出し、検出信号を出力する。これに応じて、移送ポンプ１１の制御基板は、移送ポンプ１１を所定期間作動させ、汚水タンク４内の汚水を回収用タンク７に移送する。
【００３０】
これにより、汚水タンク４内の汚水のレベルは、常に所定レベル以下に維持される。したがって、塵芥収集中に、汚水が汚水タンク４から溢れ出たり、塵芥収集車１の走行時の揺れにより汚水が波立って流出したりすることはない。
【００３１】
塵芥収集中に汚水タンク４から回収用タンク７に移送される汚水は、汚水回収時まで、回収用タンク７内に貯留される。汚水回収時には、開閉バルブ付きコネクタ１２に汚水回収用のホースが接続され、開閉バルブが開かれる。貯留された汚水は、該ホースを介して回収される。
【００３２】
塵芥収容箱３内に収集された塵芥が塵芥ピットへ排出されるとき、塵芥投入箱２が回動軸６の周りで回動し、塵芥収容箱３の後端の排出口を開放する。このとき、接続管路９の回動軸６近傍の可撓性を有する部分９ａが、塵芥投入箱２の回動に伴って柔軟に変形する。このため、塵芥投入箱２の回動により支障が生じることはない。
【００３３】
なお、塵芥ピットへの塵芥の排出は、塵芥収容箱３を傾けて塵芥を自重で塵芥ピット内へ落下させるダンプ式で行われてもよいし、又は塵芥収容箱３内の塵芥を排出装置により塵芥収容箱３後部の開口部から塵芥ピットの方へ押し出すことにより行われてもよい。
【００３４】
図２は、本発明の第２実施形態に係る汚水回収装置を取り付けた塵芥収集車の正面図である。図２に示すように、この汚水回収装置１４では、回収用タンク７を塵芥収容箱３の上面に取り付けるための取付け手段が、第１実施形態の場合と異なる。すなわち、取付け手段は、塵芥収容箱３の側面において水平方向に延在する凸条１５に係合して回収用タンク７を取り付ける取付け具１６により構成される。
【００３５】
また、本実施形態においては、接続管路９は、移送ポンプ１１から、塵芥収容箱３の前端近傍までの水平ルートと、その後の鉛直ルートとを経て回収用タンク７に接続される。このため、接続管路９には、塵芥投入箱２の回動時に支障を生じないように、接続管路９を分離するための分離用コネクタ１７が設けられる。分離用コネクタ１７は、移送ポンプ１１の下流側近傍に設けられる。他の構成は、第１実施形態の場合と同様である。
【００３６】
図３は、塵芥収容箱３に回収用タンク７を取り付けたときの取付け具１６の一部を示す。図３に示すように、回収用タンク７は、所定の長さ及び幅を有し、高さが比較的低い直方体形状を有する。回収用タンク７の塵芥収容箱３に対する取付けは、回収用タンク７の長さ面２３が、前後方向に平行となるように行われる。
【００３７】
取付け具１６は、回収用タンク７の長さ面２３の底部から塵芥収容箱３の上面に沿って左右方向に延在する左右ロッド１８と、凸条１５沿って前後方向に延在する前後ロッド１９と、前後ロッド１９に下端が固定され、上下方向に延在する上下ロッド２０と、左右ロッド１８と上下ロッド２０とを接続するＬ字状スリーブ２１とを備える。
【００３８】
上下ロッド２０は、前後ロッド１９の塵芥収容箱３に接する側とは反対側の側面に固定される。Ｌ字状スリーブ２１は、左右ロッド１８及び上下ロッド２０を、それぞれ左右方向及び上下方向にＬ字状スリーブ２１内でスライドさせ、任意のスライド位置でボルト２２により固定して接続できるように構成される。
【００３９】
左右ロッド１８は、回収用タンク７の両長さ面２３の下部に、それぞれ複数ずつが一定の間隔を置いて設けられる。Ｌ字状スリーブ２１及び上下ロッド２０は、各左右ロッド１８に対応するように、左右ロッド１８と同数のものが用いられる。
【００４０】
前後ロッド１９としては、塵芥収容箱３の左右両側の２本の凸条１５（図２参照）にそれぞれ対応する２本の前後ロッド１９が用いられる。各前後ロッド１９に対し、対応する各上下ロッド２０の下端部が固定される。
【００４１】
回収用タンク７の取付けに際しては、回収用タンク７が、塵芥収容箱３上に、長さ面２３が前後方向に平行となるように配置される。そして、一方の長さ面２３から延びている各左右ロッド１８に各Ｌ字状スリーブ２１の一方の側が外嵌される。また、対応する各上下ロッド２０の前後ロッド１９に固定されていない自由端側が、各Ｌ字状スリーブ２１の他方の側に嵌合される。
【００４２】
そして、凸条１５の下面と、塵芥収容箱３の側面とに前後ロッド１９の上面及び側面が接するように、Ｌ字状スリーブ２１内で左右ロッド１８及び上下ロッド２０をスライドさせながら、左右ロッド１８に対する上下ロッド２０の位置関係が調整される。凸条１５の下面及び塵芥収容箱３の側面に対して、前後ロッド１９が確実に固定される位置関係となったとき、各左右ロッド１８及び上下ロッド２０が、対応するＬ字状スリーブ２１に対し、ボルト２２で固定される。
【００４３】
このボルト２２の固定が、各長さ面２３側の左右ロッド１８及び上下ロッド２０について完了すると、回収用タンク７の塵芥収容箱３への取付けが終了する。他のタンクコネクタ１０や移送ポンプ１１等の取付けは、第１実施形態の場合と同様にして行われる。ただし、接続管路９は、上述のように、水平ルート及び鉛直ルートを経て回収用タンク７と汚水タンク４とを接続するように取り付けられる。
【００４４】
汚水タンク４内の汚水の回収用タンク７への移送や、回収用タンク７からの汚水の回収は、第１実施形態の場合と同様にして行われる。塵芥収容箱３内に収集された塵芥が塵芥ピットへ排出されるときには、塵芥投入箱２の回動に支障を生じないように、分離用コネクタ１７によって接続管路９が分離される。これにより、塵芥投入箱２が支障なく回動され、塵芥収容箱３内の塵芥が塵芥ピットへ排出される。
【００４５】
なお、本発明は上記実施形態に限定されない。例えば、回収用タンクを塵芥収容箱３上面に取り付けるための取付け手段としては、磁石の吸着力を利用したものを用いてもよい。例えば、図４に示すように、押え部２４が設けられた複数のマグネット板２５を、回収用タンク７周囲の塵芥投入箱２の上面に順次吸着させながら、押え部２４により回収用タンク７の周囲を押さえてゆくことにより、回収用タンク７を塵芥投入箱２の上面に固定してもよい。
【００４６】
また、必要な取付け強度に応じ、取付け具１６や磁石の吸引力を利用した取付け手段を組み合わせて取付け手段を構成したり、塵芥収容箱３上に予め固定されている付属物を利用する取付け手段を用いたりしてもよい。
【００４７】
また、上記第２実施形態では言及しなかったが、分離用コネクタ１７により接続管路９が分離されているときのみ、塵芥投入箱２の回動を許容する手段を設けてもよい。例えば、分離用コネクタ１７に、分離用コネクタ１７が分離しているか否かを検出するセンサを設け、この検出出力が、接続管路９が分離されている旨を示す場合を除き、塵芥投入箱２の回動を行うシリンダへ油圧が供給できないようにしてもよい。これによれば、分離用コネクタ１７で接続管路９が分離されていないときに、誤って塵芥投入箱２が回動されて支障が生じるのを防止することができる。
【００４８】
また、本発明は、塵芥収容箱３内の塵芥積込装置が上述の回転板式である塵芥収集車に限らず、他の方式、例えば圧縮板式である塵芥収集車にも適用することができる。なお、圧縮板式の塵芥積込装置は、塵芥投入箱２に投入された塵芥を、塵芥投入箱２内で上下する圧縮板により圧縮し、上方へ引き上げて、塵芥収容箱３に送り込む。
【符号の説明】
【００４９】
１…塵芥収集車、２…塵芥投入箱、３…塵芥収容箱、４…汚水タンク、５，１４…汚水回収装置、６…回動軸、７…回収用タンク、８…ボルト及びナット、９…接続管路、９ａ…可撓性を有する部分、１０…タンクコネクタ、１１…移送ポンプ、１２…開閉バルブ付きコネクタ、１３…液面センサ、１６…取付け具、１７…分離用コネクタ、２５…マグネット板。
【図１】
0005523509.tif 000002
【図２】
0005523509.tif 000003
【図３】
0005523509.tif 000004
【図４】
0005523509.tif 000005